(57)【特許請求の範囲】
【請求項１】
容器本体(1)の外表面上に第１の規則性を有するパターン(P1)を印刷した第１印刷層(5)を有し、前記第１印刷層(5)を所定の厚さの印刷若しくは塗装によるクリアコート層(8)で被覆し、該クリアコート層(8)の上に第２の規則性を有するパターン(P2)を印刷した第２印刷層(6)を有する構成とし、
前記容器本体(1)の湾曲状の部分を含む外表面に沿って、前記第１印刷層(5)と第２印刷層(6)のパターン(P1、P2)による光の干渉効果により、３次元的な視覚効果による加飾が施された合成樹脂製加飾容器。
【請求項２】
第１印刷層(5)と第２印刷層(6)の少なくとも一方に、規則性を有するパターン(P1、P2)に加えて、絵柄、図案、あるいは文字等を印刷したことを特徴とする請求項１記載の合成樹脂製加飾容器。
【請求項３】
第１印刷層(5)あるいは第２印刷層(6)に第２のクリアコート層(9)を介して、絵柄、図案、あるいは文字等を印刷した第３印刷層(7)を積層して有することを特徴とする請求項１または２記載の合成樹脂製加飾容器。
【発明の詳細な説明】
【技術分野】
【０００１】
本発明は、表面に３次元的な視覚効果を与える加飾を施した合成樹脂製容器に関する。
【背景技術】
【０００２】
容器の装飾が商品力の大きな部分を占める化粧料用等の容器においては、塗装、印刷等により装飾性を発揮させて高級感出して商品イメージを大きく向上させることが望まれている。たとえば特許文献１には蓋に覆われる部位の収納容器本体の表面に有色インクで大小のドットで模様を印刷し、蓋の外表面に成形あるいは透明なインクで印刷することによって形成された大小の凸のあるドットで模様を形成することによってモアレ模様効果を付加した全体模様を持つことを特徴とする化粧品収納容器ついての記載がある。
【０００３】
また、特許文献２には透明性シートの両面に所定のピッチで繰り返された模様等を有するパターン部を形成することにより、シート両面の光学的な干渉によりシート上に３次元模様をつくり出す装飾性シートについての記載がある。
【特許文献１】特開２００４−１８１０３７号公報
【特許文献２】特開平１１−１８９０００号公報
【発明の開示】
【発明が解決しようとする課題】
【０００４】
上記した特許文献１におけるモアレ模様、あるいは３次元模様（これもモアレ模様の範疇である。）を容器の形状に拠らず自在に外表面に表現することができれば非常に装飾効果の高いものとなるが、容器等の成形品では容器の外表面の所定部分に対向する内表面に模様を形成することは通常の加工法では困難であり、特許文献１のように収納容器本体と蓋の外表面に模様を形成する等、装飾可能な部位が限定されると共に、その装飾効果も限定されたものとなってしまう。また、収納容器本体と蓋といった複数の成形品に模様を形成する必要があるため、コスト高になってしまう。
【０００５】
また、特許文献２で記載される３次元効果のある装飾シートをラベルのようにして容器に貼付する方法も考えられるが、外表面の形状によって貼付箇所に制限があり、またラベルは印刷等に比較して容器本体との一体感に劣るため、装飾性として今一歩の感がある。さらにラベルの場合はラベル製造工程とラベル貼着工程とが必要であるため、コスト高になってしまう。
【０００６】
そこで本発明はモアレ模様状の模様を簡単な工程で、かつ低コストで容器本体と一体感を有しながら単一の成形品である容器本体に形成することを技術的課題とし、よって今までにない独特な加飾効果が付与された合成樹脂製容器を提供することを目的とする。
【課題を解決するための手段】
【０００７】
上記技術的課題を解決する手段のうち、請求項１記載の発明の手段は、
合成樹脂製容器において、
容器本体の外表面上に第１の規則性を有するパターンを印刷した第１印刷層を有し、この第１印刷層を所定の厚さの印刷若しくは塗装によるクリアコート層で被覆し、このクリアコート層の上に第２の規則性を有するパターンを印刷した第２印刷層を有する構成とし、
容器本体の湾曲状の部分を含む外表面に沿って、第１印刷層と第２印刷層のパターンによる光の干渉効果により、３次元的な視覚効果による加飾を施すこと、
にある。
【０００８】
請求項１の上記構成により、容器壁の外表面に、それぞれ所定の規則性を有するパターンを印刷した第１印刷層と第２印刷層が透明な所定厚さのクリアコート層を挟んで相対向するので、光の干渉により３次元的な視覚効果が発揮され容器壁面上にモアレ模様が出現し、今までにない装飾性を有する容器を提供することができる。
【０００９】
ここで、所定の規則性を有するパターンとしては、所定のピッチで平行線を並べたもの、正方格子状のもの、パンチメタル状にドットを一定の規則で配置したもの、同心円等様々な形態があり、また、これらの組み合わせによって発生するモアレ模様自体も規則性を有するパターンの一つである。
【００１０】
また、クリアコート層の厚さはモアレ模様の発現態様に大きく係わるものであり、通常の印刷、塗装では数ミクロンから数十ミクロンであるが必要に応じて複数回重ね塗りして厚く形成することもできる。
【００１１】
また、第１印刷層および第２印刷層の印刷はスクリーン印刷方式やオフセット印刷方式等の通常使用される印刷方式が可能であり、また、クリアコート層は着色または無着色の透明な層であるが、第１印刷層および第２印刷層の印刷に使用される印刷インキと同系の透明インキを使用し、同様の印刷方式で形成することが可能であり、できるだけ厚く形成するにはスクリーン印刷方式によって形成するのが好ましい。また、クリアコート層はスプレー塗装、浸漬塗装、ロール塗装等の通常の塗装工程で形成することも可能である。
【００１２】
また、第１印刷層および第２印刷層の印刷やクリアコート層に使用するインキや塗料は、紫外線または電子線硬化型、蒸発乾燥型、二液硬化型、酸化重合型等の通常のインキや塗料が使用できるが、紫外線または電子線硬化型のものを使用するのが生産性の面で好ましい。紫外線または電子線硬化型インキや塗料を使用する場合、紫外線または電子線硬化型インキや塗料により印刷、塗装を行い、次いで印刷面、塗装面に紫外線または電子線を照射することによりインキ、塗料を速く硬化させることができる。
【００１３】
上記のように、第１印刷層、第２印刷層、およびクリアコート層は通常の印刷あるいは塗装方法で容易に形成できるので、よほど複雑な形状をした部分以外のたとえば湾曲状の部分にも容易に容器本体との一体感を確保しながら形成することができ、全体として特別な工程を付加することなく上記３次元的な視覚効果による装飾性を容易に、低コストで施すことができる。
【００１４】
請求項２記載の発明の手段は、請求項１記載の発明において、第１印刷層と第２印刷層の少なくとも一方に、規則性を有するパターンに加えて、絵柄、図案、あるいは文字を印刷すること、にある。
【００１５】
請求項２の上記構成により、モアレ模様を背面に絵柄、図案、あるいは文字等が浮かび上がる、あるいは沈み込むように表すことができ、より独特な装飾、あるいは表示効果を発揮させることができる。
【００１６】
ここで、請求項２において所定の規則性を有するパターンに加えて、絵柄、図案、あるいは文字を印刷する場合、予め、絵柄、図案、あるいは文字を印刷してから所定の規則性を有するパターンを印刷してもよいし、所定の規則性を有するパターンと絵柄、図案、あるいは文字を同時に印刷してもよい。
【００１７】
請求項３記載の発明の手段は、請求項１または２記載の発明において、第１印刷層あるいは第２印刷層にクリアコート層を介して、絵柄、図案、あるいは文字等を印刷した第３印刷層を積層して有すること、にある。
【００１８】
請求項３記載の上記構成は、絵柄、図案、あるいは文字等を第１印刷層あるいは第２印刷層とは別の第３印刷層に形成するものである。より具体的には、たとえば第２印刷層を第２のクリアコート層（以下、第２クリアコート層と記す。)で被覆し、この第２クリアコート層上に絵柄、図案、あるいは文字等を印刷した第３印刷層を形成する構成、あるいは容器の壁面に第３印刷層を形成し、この第３印刷層を第２クリアコート層で被覆し、この第２クリアコート層に、第１印刷層を印刷する構成等である。
【００１９】
請求項３記載の上記構成によれば、第１印刷層、第２印刷層および第３印刷層の印刷はスクリーン印刷方式やオフセット印刷方式等の通常使用される印刷方式が可能である。また、クリアコート層および第２クリアコート層は着色または無着色の透明な層であるが、第１印刷層、第２印刷層および第３印刷層の印刷に使用される印刷インキと同系の透明インキを使用し、同様の印刷方式で形成することが可能であり、できるだけ厚く形成するにはスクリーン印刷方式によって形成するのが好ましい。また、クリアコート層および第２クリアコート層はスプレー塗装、浸漬塗装、ロール塗装等の通常の塗装工程で形成することも可能である。
【００２０】
そして請求項３記載の上記構成は、請求項２記載の構成同様にモアレ模様を背面に絵柄、図案、あるいは文字等を浮かび上がる、あるいは沈み込むように表すことができるが、絵柄、図案、あるいは文字等を第３印刷層として第２クリアコート層を介して積層しているので、請求項２記載の構成の効果とはまた違った装飾効果が発揮される。さらに絵柄、図案、あるいは文字等を透明色で描くことによりモアレ模様と絵柄、図案、あるいは文字が融合したような効果が得られる。
【００２１】
なお、本発明における合成樹脂製容器の材質としてはポリエチレンテレフタレート（以下、ＰＥＴと記す。）樹脂等のポリエステル樹脂、ポリエチレン樹脂、ポリプロピレン樹脂等のポリオレフィン樹脂、ポリスチレン樹脂、アクリル樹脂、ポリ塩化ビニルなどが使用できる。また、合成樹脂製容器は、中空成形、二軸延伸ブロー成形、インジェクション成形、押出成形、サーモフォーミング成形等によって得ることができる。
【発明の効果】
【００２２】
請求項１記載の発明にあっては、クリアコート層の厚さによりモアレ模様の発現態様を変化させることができると共に、このクリアコート層は通常の印刷あるいは塗装方法で容易に形成できるので、印刷層と同様たとえば湾曲状の部分にも容易に容器本体との一体感を確保しながら形成することができ、全体として特別な工程を付加することなく、容器に３次元的な視覚効果による装飾性を効果的に容易に、そして低コストで施すことができる。
【００２３】
請求項２および請求項３記載の発明にあっては、所定の規則性を有するパターンに加えて、絵柄、図案、あるいは文字を印刷することにより、モアレ模様を背面に絵柄、図案、あるいは文字等を、浮かび上がる、あるいは沈み込む等の効果と共に表すことができる。
【発明を実施するための最良の形態】
【００２４】
以下本発明の実施の形態を図面を参照しながら説明する。図１〜図３は本発明の合成樹脂製加飾容器の一実施例を示すものである。この容器はシャンプー、リンス等の用途に使用されるものであり、容器本体１はＰＥＴ樹脂製の透明性を有する二軸延伸ブロー成形品で、円筒状の胴部３を有し、口筒部２に内容液を吸引するためのポンプを配設したキャップを螺合して使用する。
【００２５】
胴部３には加飾領域４があり、モアレ模様の中に文字Ｓ（本実施例では図案化した”ＡＢＣ”の文字）が浮かんでいるような３次元的な視覚効果が発揮されている。図２はこの加飾領域４を拡大して示したものであり、図３は図１中のＡ−Ａ線に沿ってこの加飾領域４の断面を部分的に示したものである。
【００２６】
図３から判るように、加飾領域４では胴壁３ａ上に第１印刷層５を形成し、この第１印刷層５を透明な第１クリアコート層８が被覆し、この第１クリアコート層８上に第２印刷層６を形成し、さらにこの第２印刷層６を透明な第２クリアコート層９が被覆し、そしてこの第２クリアコート層９上に第３印刷層７を形成している。
【００２７】
この第１印刷層５では波状に湾曲した線分を所定のピッチで規則的に並べたパターンＰ１が形成され、第２印刷層では同様に波状に湾曲した線分を所定のピッチで規則的に並べたパターンＰ２が形成されている。パターンＰ２はパターンＰ１を左回りに若干回転させたようなパターンであり、この２つのパターンを透明な第１クリアコート層８を挟んで重ねることにより、加飾領域４にモアレ模様が出現する。
【００２８】
また本実施例の容器本体１胴部２のように湾曲した部分では、見る角度によって急激に干渉縞が動くので、動的な面白い視覚効果も付与することができる。また本実施例では第３印刷層７で”ＡＢＣ”なる図案化した文字Ｓを印刷しているが、このような構成とすることにより模様、図案あるいは文字等が３次元的な視覚効果を有するモアレ模様の中で、見る角度により浮いたような、あるいは沈んだような独特な視覚効果を付与することができる。
【００２９】
各印刷層５、６、７及び各クリアコート層８、９はシルク印刷、オフセット印刷、インクジェットによる印刷等従来の印刷方法で容易に形成することができる。また各クリアコート層８、９は塗料をスプレー塗装、浸漬塗装、ロール塗装等の従来の塗装方法により形成することもできる。
【００３０】
また、各印刷層５、６、７および各クリアコート層８、９に使用するインキや塗料は、紫外線または電子線硬化型、蒸発乾燥型、二液硬化型、酸化重合型等の通常のインキや塗料が使用できる。また、モアレ模様の出現の態様は第１パターンＰ１と第２パターンＰ２を重ねる間隔等によっても大きな影響を受けるが、複数回重ね塗りして第１クリアコート層８を通常の塗膜よりも厚くすることもできる。
【００３１】
なお、上記実施例では第３印刷層７を追加してモアレ模様のなかに模様、図案あるいは文字等を付加したが、この第３印刷層を追加することなく第１印刷層５あるいは第２印刷層６に規則的なパターンＰ１、Ｐ２と共に上記のような模様、図案あるいは文字等を一緒に印刷することもできるし、第１印刷層５の上または下、あるいは第２印刷層６の上または下に上記のような模様、図案あるいは文字等を印刷することもできる。また容器本体１は必ずしも透明である必要はなく、有色不透明であっても、反射光により上記したような３次元的な装飾効果は発揮される。
【００３２】
以上実施例に沿って本発明の実施の形態を説明したが、本発明の作用効果はこれら実施例に限定されるものでない。規則的なパターンの組み合わせは様々な組み合わせがあり、さらに配色方法も組み合わせて様々な視覚効果を出現させることができる。また使用する合成樹脂はＰＥＴ樹脂の他に、ポリエチレン樹脂、ポリプロピレン樹脂等のポリオレフィン樹脂、ポリスチレン樹脂、アクリル樹脂、ポリ塩化ビニルなど特に限定することなく従来より使用されている樹脂から適宜選択することができ、また、合成樹脂製容器は二軸延伸ブロー成形の他にも中空成形、インジェクション成形、押出成形、サーモフォーミング成形等によって得ることができる。
【産業上の利用可能性】
【００３３】
以上説明したように本発明の合成樹脂製加飾容器は今までにない３次元的な視覚効果が、合成樹脂製容器の成形及び従来の印刷あるいは塗装工程により付与されたものであり、外観により差別化された容器を低コストで提供することができ、化粧料等の分野に限らず様々な分野でのより幅広い用途展開が期待できる。
【図面の簡単な説明】
【００３４】
【図１】本発明の合成樹脂製加飾容器の一実施例を示す正面図である。
【図２】図１中の加飾部を拡大して示す正面図である。
【図３】図１中のＡ−Ａ線に沿って加飾領域を部分的に示す断面図である。
【符号の説明】
【００３５】
１  ；容器本体
２  ；口筒部
３  ；胴部
３ａ；胴壁
４  ；加飾領域
５  ；第１印刷層
６  ；第２印刷層
７  ；第３印刷層
８  ；第１クリアコート層
９  ；第２クリアコート層
Ｐ１、Ｐ２；パターン
Ｓ  ；文字
【図１】
0004683261.tif 000002
【図２】
0004683261.tif 000003
【図３】
0004683261.tif 000004